(57)【要約】【課題】  複数のスイッチのうちの所望のスイッチの操作感触を変えることができ、組立てを簡単に行えるクリックばね付きシート及びこれを用いたスイッチ装置を提供する。【解決手段】  絶縁性フィルムからなり下面に粘着剤が設けられた粘着シート１と、この粘着シート１の下面側に貼着された第１クリックばね２と、この第１クリックばね２の下側に積層された第２クリックばね３とを備え、第２クリックばね３には、第１クリックばね２の外周縁部２ａよりも外方へ延出する固着板７を設け、この固着板７で第２クリックばね３を粘着シート１の下面側に貼着した。【選択図】        図３
2006164551.tif 000002
【特許請求の範囲】
【請求項１】
絶縁性フィルムからなり下面に粘着剤が設けられた粘着シートと、この粘着シートの下面側に貼着された第１クリックばねと、この第１クリックばねの下側に積層された第２クリックばねとを備え、前記第２クリックばねには、前記第１クリックばねの外周縁部よりも外方へ延出する固着板を設け、この固着板で前記第２クリックばねを前記粘着シートの下面側に貼着したことを特徴とするクリックばね付きシート。
【請求項２】
前記第１及び第２クリックばねは、外周縁部から所定の角度で立ち上がるスカート部と、このスカート部に連設する反転可能なドーム状の膨出部とを有し、前記外周縁部に前記固着板を延出して形成したことを特徴とする請求項１記載のクリックばね付きシート。
【請求項３】
前記固着板を、反転可能なドーム状の膨出部を有するクリックばねで形成し、該クリックばねを前記第１及び第２のクリックばねとは独立して作動する第３クリックばねとしたことを特徴とする請求項１、又は２記載のクリックばね付きシート。
【請求項４】
前記粘着シートには、積層されて貼着された前記第１及び第２クリックばねを挟んで両脇に、１枚のクリックばねからなる前記第３クリックばねを配置したことを特徴とする請求項３記載のクリックばね付きシート。
【請求項５】
前記第２クリックばねと前記第３クリックばねとを平面状に３個連結して一体的に形成したことを特徴とする請求項４記載のクリックばね付きシート。
【請求項６】
前記第２クリックばねには、前記膨出部の内面に固定接点と接触可能な接点部を形成したことを特徴とする請求項１乃至５の何れかに記載のクリックばね付きシート。
【請求項７】
前記接点部を、前記膨出部の内面に設けられた突部で形成したことを特徴とする請求項６記載のクリックばね付きシート。
【請求項８】
請求項１乃至５の何れかに記載のクリックばね付きシートと、このクリックばね付きシートが積層されると共に、少なくとも前記第２クリックばねの下方に配置される一対の対向された接点部を有するスイッチ基台とを備えたことを特徴とするスイッチ装置。
【請求項９】
請求項６、又は７記載のクリックばね付シートと、このクリックばね付シートに貼着された前記第２クリックばねの外周縁部が載置される周辺固定接点と、この周辺固定接点に隣接して配設され、前記第２クリックばねのドーム状の膨出部の内面に設けられた前記接点部と接離可能に対向して配置された中央固定接点と、前記周辺固定接点、及び前記中央固定接点が配設された絶縁基板とを備えたことを特徴とするスイッチ装置。
【発明の詳細な説明】
【技術分野】
【０００１】
本発明は、携帯電話等の電子機器の薄型操作パネル等に用いられるクリックばね付シート及びこれを用いたスイッチ装置に関する。
【背景技術】
【０００２】
従来のクリックばね付シート及びスイッチ装置の構造としては、円形ドーム状の複数のクリックばね（可動接点）を粘着シートに貼付けたクリックばね付シートを基板上に積層したシートタイプのスイッチ装置の構造が知られている（例えば、特許文献１参照）。
【０００３】
この従来のクリックばね付シート及びスイッチ装置の構造を図８、９図に示す。図８は従来のクリックばね付シートの分解斜視図、図９は従来のクリックばね付シートを用いたスイッチ装置の要部断面図である。
【０００４】
図において、複数個のクリックばね（可動接点）５１は、ステンレス材やリン青銅等のバネ性を有する円形ドーム状の薄板の金属からなり、頂部からの押圧力に対して変位可能になっている。そして、クリックばね５１は、ドーム状内に貫通する孔が存在せず、その中央部にはドーム状内に突出して形成された接点部５１ａを有している。
【０００５】
粘着シート５２は、ポリエステル樹脂等のフィルム材からなり、可撓性を有するシート状のシート部５３と、このシート部５３に設けられた複数個の孔５２ａと、この孔５２ａを除くシート部５３の下面に形成された非粘着部からなる気道部５５を除く部分に設けられた粘着剤５４とから構成されている。
【０００６】
気道部５５は、粘着剤５４をシート部５３の下面にスクリーン印刷することによって形成されており、その少なくとも一端が、粘着シート５２の孔５２ａ、又は粘着シート５２の外周端縁５２ｂに位置する気道口５６に繋がっている。そして、クリックばね５１は、上面が粘着シート５２の粘着剤５４に貼着され、クリックばね５１の上面、およびクリックばね５１の端部５１ｂの少なくとも一部が気道部５５上に載置された状態で貼着されている。
【０００７】
セパレータ５７は、粘着シート５２と略同形状のポリエステルフィルムからなり、その上下面に貫通して形成された複数個の孔５７ａを有している。また、セパレータ５７は、粘着シート５２の粘着剤５４によって、粘着シート５２の孔５２ａと孔５７ａが対向し、重なり合うように、粘着シート５２の下面に貼着されている。そして、このセパレータ５７は、粘着シート５２とでクリックばね５１を挟持すると共に、クリックばね５１の下面を保護することによって、クリックばね付シート５８を構成している。
【０００８】
粘着シート５２の孔５２ａは、図示せぬ発光ダイオード（ＬＥＤ）等の発光素子を露出させるための孔であり、可動接点５１を押圧操作する操作体（図示せず）を、シート部５３で光を効率よく反射させて照光できる。
【０００９】
図９はスイッチ装置（押釦スイッチ）を示し、絶縁基板５９は、ポリイミドフィルム等のフレキシブル基板からなり、その表面には、銅箔からなる円形をした第一の固定接点５９ａと、この第一の固定接点５９ａを取り囲む略Ｃ字状をした第二の固定接点５９ｂがエッチングにて形成されている。
【００１０】
そして、クリックばね付シート５８の粘着シート５２の下面に貼着されたセパレータ５７を剥がすことにより、粘着シート５２の粘着剤５４を露出させ、クリックばね５１の端部５１ｂを第二の固定接点５９ｂに対向させて、粘着シート５２が絶縁基板５９の上面に貼着される。この時、クリックばね５１は、端部５１ｂの周縁が第二の固定接点５９ｂに常時接触する状態で、絶縁基板５９の表面に載置された状態となる。
【００１１】
【特許文献１】特開２００１−１６０３３４号公報
【発明の開示】
【発明が解決しようとする課題】
【００１２】
上述した従来のクリックばね付シート及びスイッチ装置においては、粘着シートに各スイッチに対応させてクリックばねを１枚ずつ貼り付けていることから、ひとつのシート上で所望のスイッチのみ操作荷重を重くしたい場合には、荷重の異なるクリックばねを用いる必要があり、１枚のクリックばねで対応できる荷重範囲には限りがあった。
そのため、あらかじめスイッチ基板側に１枚クリックばねを仮固定しておき、そのクリックばね上に粘着シートのクリックばねがもう１枚重なるように粘着テープを重ね合わせることで、クリックばねを２枚重ねに配置することが考えられる。しかしながら、重ね合わせるクリックばねの位置ずれが生じ操作感触を損なう可能性があり、スイッチの組立てが煩雑になるという問題があった。
【００１３】
したがって、本発明では上述した問題点を解決し、複数のスイッチのうちの所望のスイッチの操作感触を変えることができ、組立てを簡単に行えるクリックばね付きシート及びこれを用いたスイッチ装置を提供することを目的とする。
【課題を解決するための手段】
【００１４】
上記課題を解決するために本発明では第１の解決手段として、絶縁性フィルムからなり下面に粘着剤が設けられた粘着シートと、この粘着シートの下面側に貼着された第１クリックばねと、この第１クリックばねの下側に積層された第２クリックばねとを備え、前記第２クリックばねには、前記第１クリックばねの外周縁部よりも外方へ延出する固着板を設け、この固着板で前記第２クリックばねを前記粘着シートの下面側に貼着した構成とした。
【００１５】
また、第２の解決手段として、前記第１及び第２クリックばねは、外周縁部から所定の角度で立ち上がるスカート部と、このスカート部に連設する反転可能なドーム状の膨出部とを有し、前記外周縁部に前記固着板を延出して形成した構成とした。
また、第３の解決手段として、前記固着板を、反転可能なドーム状の膨出部を有するクリックばねで形成し、該クリックばねを前記第１及び第２のクリックばねとは独立して作動する第３クリックばねとした構成とした。
また、第４の解決手段として、前記粘着シートには、積層されて貼着された前記第１及び第２クリックばねを挟んで両脇に、１枚のクリックばねからなる前記第３クリックばねを配置した構成とした。
【００１６】
また、第５の解決手段として、前記第２クリックばねと前記第３クリックばねとを平面状に３個連結して一体的に形成した構成とした。
また、第６の解決手段として、前記第２クリックばねには、前記膨出部の内面に固定接点と接触可能な接点部を形成した構成とした。
また、第７の解決手段として、前記接点部を、前記膨出部の内面に設けられた突部で形成した構成とした。
【００１７】
また、第８の解決手段として、第１乃至第５の解決手段の何れかに記載のクリックばね付きシートと、このクリックばね付きシートが積層されると共に、少なくとも前記第２クリックばねの下方に配置される一対の対向された接点部を有するスイッチ基台とを備えたスイッチ装置とした。
また、第９の解決手段として、第６、又は第７の解決手段に記載のクリックばね付シートと、このクリックばね付シートに貼着された前記第２クリックばねの外周縁部が載置される周辺固定接点と、この周辺固定接点に隣接して配設され、前記第２クリックばねのドーム状の膨出部の内面に設けられた前記接点部と接離可能に対向して配置された中央固定接点と、前記周辺固定接点、及び前記中央固定接点が配設された絶縁基板とを備えたスイッチ装置とした。
【発明の効果】
【００１８】
上述したように、本発明のクリックばね付シートは、絶縁性フィルムからなり下面に粘着剤が設けられた粘着シートと、この粘着シートの下面側に貼着された第１クリックばねと、この第１クリックばねの下側に積層された第２クリックばねとを備え、第２クリックばねには、第１クリックばねの外周縁部よりも外方へ延出する固着板を設け、この固着板で第２クリックばねを粘着シートの下面側に貼着したことから、粘着シートの下面に位置ずれすることなしに第１及び第２クリックばねを２枚重ねて配置することができるので、複数のスイッチキーのうち所望のスイッチキーの操作荷重を重くして操作感触を自由に変えることができる。また、スイッチの組立ても位置ずれすることなく簡単に行える。
【００１９】
また、第１及び第２クリックばねは、外周縁部から所定の角度で立ち上がるスカート部と、このスカート部に連設する反転可能なドーム状の膨出部とを有し、外周縁部に固着板を延出して形成したことから、粘着シートに固着板を貼着しても第２クリックばねの膨出部の反転を阻害することがないので、良好な操作感触を得ることができる。
また、固着板を、反転可能なドーム状の膨出部を有するクリックばねで形成し、該クリックばねを第１及び第２のクリックばねとは独立して作動する第３クリックばねとしたことから、粘着シートに複数のスイッチキーを配置する場合に固着板を第３クリックばねで兼用することができるので、キーピッチを狭くできスイッチ全体の小型化が図れる。
また、粘着シートには、積層されて貼着された第１及び第２クリックばねを挟んで両脇に、１枚のクリックばねからなる第３クリックばねを配置したことから、両脇のクリックばねの操作荷重に対して中央のクリックばねの操作荷重を重くできるので、操作性を向上することができる。
【００２０】
また、第２クリックばねと第３クリックばねとを平面状に３個連結して一体的に形成したことから、第２クリックばねを両脇の第３クリックばねで両側から粘着シートへ確実に保持することができ、組み立てが容易となる。
また、第２クリックばねには、膨出部の内面に固定接点と接触可能な接点部を形成したことから、クリックばねとスイッチの可動接点を兼用できるので、部品点数が削減され構成が簡単となり安価化が図れる。
また、接点部を、膨出部の内面に設けられた突部で形成したことから、突部先端が固定接点と接触することになるので、耐防塵性が向上される。
【００２１】
また、第１乃至第５の解決手段の何れかに記載のクリックばね付きシートと、このクリックばね付きシートが積層されると共に、少なくとも第２クリックばねの下方に配置される一対の対向された接点部を有するスイッチ基台とを備えたスイッチ装置としたことから、スイッチ基台を共通として、クリック付きシートの操作荷重を適宜変えることができるので、所望のスイッチの操作感触を容易に得ることができる。
また、第６、又は第７の解決手段に記載のクリックばね付シートと、このクリックばね付シートに貼着された第２クリックばねの外周縁部が載置される周辺固定接点と、この周辺固定接点に隣接して配設され、第２クリックばねのドーム状の膨出部の内面に設けられた接点部と接離可能に対向して配置された中央固定接点と、周辺固定接点、及び中央固定接点が配設された絶縁基板とを備えたスイッチ装置としたことから、スイッチ装置を簡単に構成することができ、組み立てが容易であると共に、スイッチ装置の薄型化が図れる。
【発明を実施するための最良の形態】
【００２２】
以下、本発明のクリックばね付シート及びスイッチ装置の実施形態を図１乃至図７に示す。図１は本発明の５連結時のクリックばね付シートのクリックばねを示す斜視図、図２は本発明の３連結時のクリックばね付シートのクリックばねを示す斜視図、図３は本発明の５連結及び３連結時のクリックばね付シートを示す断面図、図４は本発明の単キー積層時のクリックばね付シートのクリックばねを示す斜視図、図５は本発明の単キー積層時のクリックばね付シートのクリックばねの他の実施例を示す斜視図、図６は本発明のクリックばね付シートをスイッチ基台の固定接点上に積層したスイッチ装置を示す斜視図、図７は本発明のクリックばね付シートを一対の対向された接点部を有するスイッチ基台に積層したスイッチ装置を示す断面図である。
【００２３】
図１乃至図３において、本発明のクリックばね付きシートは、絶縁性フィルムからなり下面に粘着剤が設けられた粘着シート１と、この粘着シート１の下面側に貼着された第１クリックばね２と、この第１クリックばね２の下側に積層された第２クリックばね３と、この第２クリックばね３の外周縁部と連結され、両脇の２方向あるいは十字方向の４方向に配置された複数の第３クリックばね４と、第２及び第３クリックばね３、４の下面側を覆う剥離シート５とから主に構成されている。
【００２４】
粘着シート１は、ポリエステル樹脂等の絶縁性のフィルム材からなり、略方形状の可撓性を有するシート状に形成され、下面には一面に粘着剤（図示せず）が塗布されている。また、前記粘着シート１の下面側には、第１乃至第３クリックばね２〜４が一部積層されて貼着されている。
【００２５】
第１クリックばね２は、ステンレス材やばね用リン青銅等のばね性を有する薄板金属板からなり、円形に形成されており、円形の外周縁部２ａから所定の角度で立ち上がるスカート部２ｂと、このスカート部２ｂに連設する反転可能なドーム状の膨出部２ｃとを有している。この第１クリックばね２は、前記膨出部２ｃが前記粘着シート１の適宜位置に、粘着シート１の下面に塗布された粘着剤によって貼着されて配設されている。
【００２６】
第２クリックばね３は、同じくステンレス材やばね用リン青銅等のばね性を有する薄板金属板からなり、略円形に形成されており、円形の外周縁部３ａから所定の角度で立ち上がるスカート部３ｂと、このスカート部３ｂに連設する反転可能なドーム状の膨出部３ｃとを有している。この第２クリックばね３は、前記第１クリックばね２の下側に重合した状態で積層されており、前記第１クリックばね２の押圧操作時には、第１クリックばね２と共に反転駆動されるものとなっている。
【００２７】
また、前記第２クリックばね３の外周縁部３ａには、外方へ延出する複数の桟部３ｄを介して複数の第３クリックばね４が連結されている。この第３クリックばね４は、同じくステンレス材やばね用リン青銅等のばね性を有する薄板金属板からなり、略円形に形成されており、円形の外周縁部４ａから所定の角度で立ち上がるスカート部４ｂと、このスカート部４ｂに連設する反転可能なドーム状の膨出部４ｃとを有している。そして、前記桟部３ｄと外周縁部４ａが接続されて一体に形成されている。
【００２８】
図１に示すのは、前記第３クリックばね４が、前記第２クリックばね３の外周縁部３ａの外側に十字状に４個配置された５連結のクリックばねの構成を示している。また、図２に示すのは、前記第３クリックばね４が、前記第２クリックばね３の外周縁部３ａの外側の両脇に２個配置された３連結のクリックばねの構成を示している。これらの第３クリックばね４は、前記膨出部４ｃが前記粘着シート１の適宜位置に、粘着シート１の下面に塗布された粘着剤によって貼着されて配設されるものとなっている。
【００２９】
この時、前記第２クリックばね３の上側には前記第１クリックばね２が重合されて積層されており、すなわち、第１クリックばね２が前記粘着シート１に貼着された下面に前記第２クリックばね３が位置するように重合して積層されており、前記第２クリックばね３は、前記第３クリックばね４によって十字状の４方向あるいは両脇の２方向を確実に保持され、前記粘着シート１の下面に、前記第１クリックばね１と共に積層されて保持されるものとなる。
【００３０】
このように、粘着シート１に、積層されて貼着された第１及び第２クリックばね２、３を挟んで両脇に、１枚のクリックばねからなる第３クリックばね４を配置すれば、両脇の第３クリックばね４の操作荷重に対して中央の第１と第２クリックばね２、３の操作荷重を重くできるので、他のクリックばねとの押圧操作感触を明確に識別でき、操作性や寿命を向上することができるものとなる。また、第２クリックばね３と第３クリックばね４とを平面状に３個連結して一体的に形成すれば、第２クリックばね３を両脇の第３クリックばね４、４で両側から粘着シート１へ確実に保持することができ、容易に組み立てが行えるものとなっている。
【００３１】
図３に示すのは、前記粘着シート１の下面に貼着された前記第１、第２、第３クリックばね２、３、４の下面側を剥離シート５で覆った状態を示している。この場合、剥離シート５はポリエステル樹脂等の絶縁性のフィルム剤からなり、同じく、略方形のシート状をしており、その上面には剥離剤が塗布されて、離型処理がなされている。また、この剥離シート５は、前記粘着シート１の粘着剤によって、粘着シート１の下面に貼着されている。そして、この剥離シート５と前記粘着シート１とで前記第１、第２、第３クリックばね２、３、４を上下方向から挟持すると共に、ドーム状の膨出部２ｃ、３ｃ、４ｃ内にゴミ、異物等が入らないように第１、第２、第３クリックばね２、３、４の下面を保護している。
【００３２】
また、図３に示すように、本実施例では、前記第２クリックばね３、及び第３クリックばね４の各膨出部３ｃ、４ｃの内面に後述するスイッチ基台の固定接点と接触可能な接点部が形成されている。この接点部は、各膨出部３ｃ、４ｃの内面から下方へ突出する複数（本実施例では３個）の突部３ｅ、４ｄから形成されている。
【００３３】
このように、第２クリックばね３、及び第３クリックばね４の各膨出部３ｃ、４ｃの内面に固定接点と接触可能な接点部を形成したことから、クリックばねとスイッチの可動接点を兼用できるので、部品点数が削減され構成が簡単となり安価化が図れるものとなる。また、接点部に前記突部３ｅ、４ｄを設けることにより、前記第２クリックばね３、及び第３クリックばね４の各膨出部３ｃ、４ｃの反転時には、前記突部３ｅ、４ｄが固定接点と接触することにより、接触が安定し耐防塵性が向上されるものとなる。
尚、接点部は積層される下側の第２クリックばね３に設けられるので、上側の第１クリックばね２には銀めっきや、突部３ｅ、４ｄなどの接点部を設けなくても良い。いずれの場合も、安価にでき、後者では更に薄型化もできる。
【００３４】
尚、上記実施例では、前記第３クリックばね４が、前記第２クリックばね３の外周縁部３ａの外側に十字状に４個配置された５連結のクリックばねの構成、及び、前記第３クリックばね４が、前記第２クリックばね３の外周縁部３ａの外側の両脇に２個配置された３連結のクリックばねの構成としたが、これに限らず、前記第３クリックばね４が、前記第２クリックばね３の外周縁部３ａの外側に１個配置された２連結のもの、また、５個以上配置された６連結以上のものにも適用が可能である。
このように、本発明のクリックばね付きシートは構成されている。
【００３５】
図４は、単キー積層時の第２クリックばね６の構成を示している。この場合、前記第１クリックばね２の下面に重合して積層される第２クリックばね６は、同じくステンレス材やばね用リン青銅等のばね性を有する薄板金属板からなり、略円形に形成されて、円形の外周縁部６ａから所定の角度で立ち上がるスカート部６ｂと、このスカート部６ｂに連設する反転可能なドーム状の膨出部６ｃとを有しており、この第２クリックばね６が、前記第１クリックばね２の下側に重合した状態で積層されて、前記第１クリックばね２の押圧操作時には、第１クリックばね２と共に反転駆動される点では上記実施例の構成と同じである。
【００３６】
しかしながら、前記第２クリックばね６の外周縁部６ａには、外方へ延出する桟部６ｄを介して前記第３クリックばね４は連結されておらず、第３クリックばね４の代わりに、前記第１クリックばね２の外周縁部２ａよりも外方へ延出する固着板７が設けられている。そして、この固着板７で前記第２クリックばね６を前記粘着シート１の粘着剤によって粘着シート１の下面側に貼着されるものとなっている。このようにすることにより、単キーのスイッチキーでも容易にクリックばねを重合して積層することができ、適宜操作感触を変えることができ長寿命化できる。
【００３７】
また、図５に示すのは、第２クリックばね６の膨出部６ｃ下面に形成された接点部６ｅを示しており、この場合、接点部６ｅは膨出部６ｃ中央に設けられた貫通孔６ｆの下面内周縁で構成されている。この場合にも、膨出部６ｃの反転時には貫通孔６ｆの下面内周縁の環状の縁部が固定接点と接触することにより、接触が安定し耐防塵性が向上されるものとなる。
【００３８】
上記構成によれば、第２クリックばね６には、第１クリックばね２の外周縁部２ａよりも外方へ延出する固着板７を設け、この固着板７で第２クリックばね６を粘着シート１の下面側に貼着したことから、粘着シート１の下面に位置ずれすることなしに第１及び第２クリックばね２、６を２枚重ねて配置することができるので、複数のスイッチキーのうち所望のスイッチキーの操作荷重を重くして操作感触を自由に変えることができる。また、スイッチの組立ても位置ずれすることなく簡単に行えるものとなっている。
【００３９】
また、第１のクリックばね２、及び第２クリックばね６は、外周縁部６ａから所定の角度で立ち上がるスカート部６ｂと、このスカート部６ｂに連設する反転可能なドーム状の膨出部６ｃとを有し、外周縁部６ａに固着板７を延出して形成したことから、粘着シート１に固着板７を貼着しても第２クリックばね６の膨出部６ｃの反転を阻害することがないので、良好な操作感触を得ることができるものとなっている。また、固着板７を、反転可能なドーム状の膨出部を有する第３クリックばね４で形成し、この第３クリックばね４を、第１及び第２のクリックばね２、３とは独立して作動する第３クリックばね４とした構成によれば、粘着シート１に複数のスイッチキーを配置する場合に固着板７を第３クリックばね４で兼用することができるので、キーピッチを狭くできスイッチ全体の小型化が図れるものとなっている。
【００４０】
図６は、クリックばね付きシートを用いたスイッチ装置の構成を示しており、基台となる絶縁基板８は、フェノール樹脂などの積層板から形成され、この絶縁基板８の上面には、カーボンあるいは銀箔などの導電性の材料で印刷された第１及び第２の固定接点９、１０が形成されている。この第１及び第２の固定接点９、１０は、中央に設けられた第１及び第２の中央固定接点９ａ、１０ａと、この第１及び第２の中央固定接点９ａ、１０ａを挟んで両側に対向して配設された第１及び第２の周辺固定接点９ｂ、１０ｂとから構成されている。
尚、第１及び第２の周辺固定接点９ｂ、１０ｂは一対対向して配置しても、櫛歯状もしくは環状に連結して配置しても良い。また、第１及び第２の周辺固定接点９ｂ、１０ｂは一対対向せずに一ヶ所だけに配置するようにしても良い。
【００４１】
前記絶縁基板８上に、上述したクリックばね付きシートが載置される際には、前記剥離シート５が前記粘着シート１の粘着部（下面側）から剥離され、粘着シート１の粘着部によって粘着シート１が絶縁基板８に貼着されるものとなる。この時、前記第２クリックばね３の外周縁部３ａが、前記第１の周辺固定接点９ｂに当接されると共に、スカート部３ｂに連続するドーム状の膨出部３ｃの接点部（突部）３ｅが、前記第１の中央固定接点９ａと離間された状態で対向されて配置されるものとなる。また、前記第３クリックばね４の外周縁部４ａが、前記第２の周辺固定接点１０ｂに当接されると共に、スカート部４ｂに連続するドーム状の膨出部４ｃの接点部４ｄが、前記第２の中央固定接点１０ａと離間された状態で対向されて配置されるものとなる。
【００４２】
上記構成のスイッチ装置の動作を説明すると、初期の状態では第１及び第２の両固定接点間９ａ、９ｂ及び１０ａ、１０ｂは非導通でスイッチはオフ状態となっている。ここで、図示しない電子機器などの操作部１１で粘着シート１の上面側が押圧されると、まず、第１クリックばね２の上面が押されたときには、ドーム状の膨出部２ｃが下側に押され、これと共に重合された第２クリックばね３の膨出部３ｃも同時に下側に押されて、一緒に反転するものとなり、この反転によって第２クリックばね３の膨出部３ｃの内面の接点部（突部）３ｅが対向して配置された第１の中央固定接点９ａと接触して、第２クリックばね３を介して第１の中央固定接点９ａと第１の周辺固定接点９ｂとが電気的に導通されオン状態となり信号が出力されるものとなる。
【００４３】
次に、上記状態から、前記粘着シート１の押圧が解除されると、第１及び第２クリックばね２、３が自身のばね力で上方向へ反転し、この反転によって第２クリックばね３の膨出部３ｃの内面の接点部（突部）３ｅが第１の中央固定接点９ａから離間して、第１の中央固定接点９ａと第１の周辺固定接点９ｂとが電気的に遮断されオフ状態となる。
【００４４】
一方、第３クリックばね４の上面が押されたときには、同じく第３クリックばね４のドーム状の膨出部４ｃが下側に押されて反転するものとなり、この反転によって膨出部４ｃの内面側の接点部（突部）４ｄが対向して配置された第２の中央固定接点１０ａと接触して、第３クリックばね４を介して第２の中央固定接点１０ａと第２の周辺固定接点１０ｂとが電気的に導通されオン状態となり信号が出力されるものとなる。
【００４５】
次に、上記状態から、前記粘着シート１の押圧が解除されると、第３クリックばね４が自身のばね力で上方向へ反転し、この反転によって膨出部４ｃの内面の接点部（突部）４ｄが第２の中央固定接点１０ａから離間して、第２の中央固定接点１０ａと第２の周辺固定接点１０ｂとが電気的に遮断されオフ状態となる。
【００４６】
この場合、上記第１クリックばね２の上面が押された時の操作荷重は、上記第３クリックばね４の上面が押された時の操作荷重に比較して、重く設定することができるため、５連結あるいは３連結等の複数のクリックばねを配置したクリックばね付きシートの、複数のスイッチのうちの所望のスイッチの操作感触を適宜変えることができるものとなっている。この場合、所望のスイッチと他のスイッチとの操作感触を明確に異ならせることができ、誤操作を防止できる。また、使用頻度の高いスイッチのクリックばねを積層する設定とすることもでき、長寿命化が図れる。
【００４７】
図６のスイッチ装置の構成によれば、クリックばね付シートに貼着された第２クリックばね３の外周縁部３ａが載置される周辺固定接点９ｂと、この周辺固定接点９ｂに隣接して配設され、第２クリックばね３のドーム状の膨出部３ｃの内面に設けられた接点部３ｅと接離可能に対向して配置された中央固定接点９ａと、前記周辺固定接点９ｂ、及び前記中央固定接点９ａが配設された絶縁基板８とを備えたスイッチ装置としたことから、スイッチ装置を簡単に構成することができ、組み立てが容易であると共に、スイッチ装置の薄型化が図れるものとなっている。
【００４８】
図７は、本発明のクリックばね付シートを一対の対向された接点部を有するスイッチ基台（例えば、メンブレンスイッチ等）に積層したスイッチ装置を示している。尚、この場合には、図７に示すように第２、及び第３クリックばね３、４の各膨出部３ｃ、４ｃの内面には接点部（突部）は設けられておらず、第１、第２、第３クリックばね２、３、４で押圧操作時のクリック感触のみ得られるものとなっている。
【００４９】
メンブレンスイッチ１２は、図示しないスペーサにより一定の空間を有して対向して配設されたポリエステル樹脂等の絶縁性のフィルム材からなり、可撓性を有するシート状に形成された上シート１３、及び下シート１４からなり、上シート１３、及び下シート１４には、適宜位置に、対向して配設された接点部１３ａ、１４ａが設けられている。
【００５０】
前記メンブレンスイッチ１２上に、上述したクリックばね付きシートが載置される際には、同じく剥離シート５が前記粘着シート１の粘着部（下面側）から剥離され、粘着シート１の粘着部によって粘着シート１が上シート１３上に貼着されるものとなる。この時、前記第２クリックばね３、及び第３クリックばね４ののドーム状の膨出部３ｃ、４ｃの下面と、前記接点部１３ａ、１４ａとが対向された状態で配置されるものとなる。
【００５１】
尚、上記構成のスイッチ装置の動作を説明すると、初期の状態では前記各接点部１３ａと１４ａは非導通でスイッチはオフ状態となっている。ここで、図示しない電子機器などの操作部１１で粘着シート１の上面側が押圧されると、まず、第１クリックばね２の上面が押されたときには、ドーム状の膨出部２ｃが下側に押され、これと共に重合された第２クリックばね３の膨出部３ｃも同時に下側に押されて、一緒に反転するものとなり、この反転によって第２クリックばね３の膨出部３ｃの下面が上シート１３を押圧して下方に撓むことにより、接点部１３ａと下シート１４に対向して配置された接点部１４ａとが接触して、電気的に導通されオン状態となり信号が出力されるものとなる。
【００５２】
次に、上記状態から、前記粘着シート１の押圧が解除されると、第１及び第２クリックばね２、３が自身のばね力で上方向へ反転し、この反転によって上シート１３が自身が有する可撓性により上方へ復帰し、接点部１３ａが１４ａから離間して、電気的に遮断されオフ状態となる。
尚、第３クリックばね４の上面が押されたときにも、同様な動作となるためここでは説明を省略する。
【００５３】
この場合においても、上記第１クリックばね２の上面が押された時の操作荷重は、上記第３クリックばね４の上面が押された時の操作荷重に比較して、重く設定することができるため、５連結あるいは３連結等の複数のクリックばねを配置したクリックばね付きシートの、複数のスイッチのうちの所望のスイッチの操作感触を適宜変えることができ長寿命化できるものとなっている。
【００５４】
図７のスイッチ装置の構成によれば、クリックばね付きシートが積層されると共に、少なくとも第２クリックばね３の下方に配置される一対の対向された接点部１３ａ、１４ａを有するスイッチ基台（メンブレンスイッチ）とを備えたスイッチ装置としたことから、スイッチ基台を共通として、クリック付きシートの操作荷重を適宜変えることができるので、所望のスイッチの操作感触を容易に得ることができ長寿命化できるものとなっている。
【図面の簡単な説明】
【００５５】
【図１】本発明の５連結時のクリックばね付シートのクリックばねを示す斜視図である。
【図２】本発明の３連結時のクリックばね付シートのクリックばねを示す斜視図である。
【図３】本発明の５連結及び３連結時のクリックばね付シートを示す断面図である。
【図４】本発明の単キー積層時のクリックばね付シートのクリックばねを示す斜視図である。
【図５】本発明の単キー積層時のクリックばね付シートのクリックばねの他の実施例を示す斜視図である。
【図６】本発明のクリックばね付シートをスイッチ基台の固定接点上に積層したスイッチ装置を示す斜視図である。
【図７】本発明のクリックばね付シートを一対の対向された接点部を有するスイッチ基台に積層したスイッチ装置を示す断面図である。
【図８】従来のクリックばね付シートの分解斜視図である。
【図９】従来のクリックばね付シートを用いたスイッチ装置の要部断面図である。
【符号の説明】
【００５６】
１：粘着シート
２：第１クリックばね
２ａ：外周縁部
２ｂ：スカート部
２ｃ：膨出部
３：第２クリックばね
３ａ：外周縁部
３ｂ：スカート部
３ｃ：膨出部
３ｄ：桟部
３ｅ：突部（接点部）
４：第３クリックばね
４ａ：外周縁部
４ｂ：スカート部
４ｃ：膨出部
４ｄ：突部（接点部）
５：剥離シート
６：第２クリックばね
６ａ：外周縁部
６ｂ：スカート部
６ｃ：膨出部
６ｄ：桟部
６ｅ：接点部
６ｆ：貫通孔
７：固着板
８：絶縁基板
９：第１の固定接点
９ａ：中央固定接点
９ｂ：周辺固定接点
１０：第２の固定接点
１０ａ：中央固定接点
１０ｂ：周辺固定接点
１１：操作部
１２：メンブレンスイッチ
１３：上シート
１３ａ：接点部
１４：下シート
１４ａ：接点部
【図１】
2006164551.tif 000003
【図２】
2006164551.tif 000004
【図３】
2006164551.tif 000005
【図４】
2006164551.tif 000006
【図５】
2006164551.tif 000007
【図６】
2006164551.tif 000008
【図７】
2006164551.tif 000009
【図８】
2006164551.tif 000010
【図９】
2006164551.tif 000011